(57)【要約】【課題】カウンターに近接した位置に洗面化粧用品等の収納手段及び洗面化粧等の作業スペースを設ける。【解決手段】カウンター３０に平行な仕切り板１４によってキャビネット１０上部に構成される収納空間７０ａの前面開口７０ｂを蓋体１７で開閉し得るようにしてある収納部７０を備え、しかも、この蓋体１７を前記開口７０ｂを閉じる起立状態から当該蓋体１７の上部側を手前側の下方に向けて当該蓋体１７をほぼ水平状態に支持し得る位置まで回動自在とした洗面化粧台、及び、キャビネット１０の上部に当該キャビネット１０の前面側からカウンター３０に沿って出し入れし得る抽斗９０を備える洗面化粧台。【選択図】図４
2007143646.tif 000002
【特許請求の範囲】
【請求項１】
カウンターに平行な仕切り板によってキャビネット上部に構成される収納空間の前面開口を蓋体で開閉し得るようにしてある収納部を備え、
しかも、この蓋体を前記開口を閉じる起立状態から下方に向けて当該蓋体をほぼ水平状態に支持し得る位置まで回動自在としてあることを特徴とする洗面化粧台。
【請求項２】
前記蓋体が、水平状態に支持された際に、当該蓋体の上面と前記仕切り板の上面とがほぼ同面となるようにしてあることを特徴とする請求項１に記載の洗面化粧台。
【請求項３】
キャビネット上部に、当該キャビネットの前面側からカウンターに沿って出し入れし得る抽斗を備えていることを特徴とする洗面化粧台。
【発明の詳細な説明】
【技術分野】
【０００１】
この発明は、洗面化粧台においてカウンターに連続して一般的に備えられている幕板部分に前面側から開閉される収納部又は前面側から抜き差し自在な抽斗を設けて、主として洗面化粧に用いられる各種物品等を収納し、また、必要に応じて当該物品等の置き場所として用いうるようにした洗面化粧台の提供に関する。
【背景技術】
【０００２】
一般的な洗面化粧台にあっては、洗面ボールの前方を覆うように、キャビネットの前面側の上部に幕板が備えられており、この幕板の背部方を除く当該幕板より下方にあるキャビネット内空間を、前面側から開閉し得る扉等で塞ぐことによって収納空間を構成するようにしていた。
【０００３】
しかしながら、かかる構成の洗面化粧台にあっては、当該洗面化粧台に備えられている収納空間が洗面に用いられるカウンターから離れているため、多くの場合、頻繁に用いられない洗面化粧用具や、洗面化粧台の清掃手段や、近傍に設置使用される洗濯機、トイレット、浴室等において用いられる各種用具・用品類の収納に用いられており、洗面化粧用に用いられる各種の用具類は、洗面化粧に際して逐一カウンター等に並べて用いるようにしていた。
【０００４】
かかる洗面化粧台のキャビネットを、特別の収納手段として構成用いるようにしたシャンプードレッサーユニットが特許文献１に、洗濯機の洗面化粧台内収納構造が特許文献２に開示されている。
【０００５】
この特許文献１に示されているシャンプードレッサーユニットは、除湿器を洗面化粧台に内蔵した構成としてあり、特許文献２に示されている洗濯機の洗面化粧台内収納構造は、洗濯機を洗面化粧台の内部に設けた収納部に収納する構成としてある。
【特許文献１】特開平７−２４１２４７
【特許文献２】特開平６−７４７５５
【発明の開示】
【発明が解決しようとする課題】
【０００６】
しかしながら、かかる従来のシャンプードレッサーユニットや洗面化粧台にあっては、洗面化粧に際して用いられる各種物品、例えば、洗面化粧用具等を取り出し用い易い位置に収納する手段を備えた構成のものはなく、また、この種の洗面化粧用具等を用い易いように並び置くための構成を備えたものはなかった。
【０００７】
また、設計の都合等によって、洗面化粧台まわりにおけるスペースを効率的に用いる点等から、洗面化粧台を極力小型の洗面化粧台として設置することがあり、かかる洗面化粧台にあっては、洗面化粧台まわりに洗面化粧用具等を置きながら用い得るカウンター等の洗面化粧に供される十分な作業スペースを確保し難い場合があった。
【０００８】
この発明は、かかる従来の洗面化粧台における不具合を解消し、小さな洗面化粧台であっても、洗面化粧に都合の良い作業スペースを提供し、しかも、洗面化粧に必要とされる各種洗面化粧用品等を当該洗面化粧動作に際して都合良く出し入れし得る位置に収納、用意し得るようにした洗面化粧台の提供を目的としている。
【課題を解決するための手段】
【０００９】
前記課題を解決するために、第１の発明にあっては、カウンターに平行な仕切り板によってキャビネット上部に構成される収納空間の前面開口を蓋体で開閉し得るようにしてある収納部を備え、しかも、この蓋体を前記開口を閉じる起立状態から下方に向けて当該蓋体をほぼ水平状態に支持し得る位置まで回動自在としてあることを特徴とする洗面化粧台としてある。
【００１０】
このように構成される洗面化粧台にあっては、キャビネット上部にあって、カウンターの下方に収納部が構成してあることから、カウンターにおける各種の洗面化粧に際して、このカウンターに近接して当該収納部に収納されている洗面化粧用品等を容易に取り出し用い、かつ、容易に収納保管することができる。
【００１１】
また、このように構成される洗面化粧台にあっては、洗面化粧台の前方に向けて開き出されてほぼ水平状態に支持された蓋体の面を、洗面化粧に際して使用される各種洗面化粧用品等の置き場所として用いることができ、洗面化粧時における使い勝手の良好な作業スペースとして用いることができる。
【００１２】
かかる構成からなる洗面化粧台における前記蓋体を、これが水平状態に支持された際に、その上面と前記仕切り板の上面とがほぼ同面となるようにした構成とすることによって、前記特長に併せて、この蓋体と仕切り板の面とを洗面化粧時における一連に連続した作業スペースとして用いることができる。
【００１３】
また、前記課題を解決するために、第２の発明にあっては、キャビネット上部に、当該キャビネットの前面側からカウンターに沿って出し入れし得る抽斗を備えていることを特徴とする洗面化粧台としてある。
【００１４】
このように構成される洗面化粧台にあっては、洗面化粧時に当該洗面化粧に供される洗面化粧用品をカウンターの下面に沿って備えられている抽斗から容易に取り出し用いることができ、また、洗面化粧後に、これらの洗面化粧用品を容易に当該抽斗に収納保管することができる。
【００１５】
また、かかる構成からなる洗面化粧台にあっては、キャビネットの前方に向けて抽斗を引き出し状態にして、この抽斗面を洗面化粧時における作業スペースとして洗面化粧用品等を一時的に適宜並べ置く手段として用いることができる。
【発明の効果】
【００１６】
この発明に係る洗面化粧台は、カウンターに近接した位置に洗面化粧用品等の収納手段としての収納部又は抽斗が用意してあり、カウンター等を用いた洗面化粧時に当該収納手段としての収納部又は抽斗から洗面化粧用品等を容易に取り出し用い、かつ、洗面化粧後に当該収納部又は抽斗に容易に仕舞い込み保管することによって洗面化粧を容易とし、しかも、カウンターまわりに洗面化粧用品等が散乱するのを防止することができる。また、開き出された蓋体面や引き出された抽斗面を洗面化粧時の作業スペースとして効果的に用いることができる。
【発明を実施するための最良の形態】
【００１７】
以下、この発明を実施するための最良の形態に係る洗面化粧台Ａについて説明する。
【００１８】
なお、ここで図１〜図５は当該発明を実施するための最良の形態に係る典型的な洗面化粧台Ａを、また、図６〜図９は当該発明を実施するための最良の形態に係る他の洗面化粧台Ａを、また、図１０〜図１１は当該発明を実施するための最良の形態に係る更に他の洗面化粧台Ａをそれぞれ示している。
【００１９】
ここで図１は、典型的な洗面化粧台Ａを斜め上方から見て、図２は当該洗面化粧台Ａの要部を正面側から見て、図３は、当該洗面化粧台Ａの要部を縦向きに断面した状態を側方から見て、図４は、この洗面化粧台Ａの蓋体１７を開きだした状態を斜め上方から見て、図５は、この図４の状態にある洗面化粧台Ａの要部を縦向きに断面して側方から見てそれぞれ示している。
また、図６は、典型的な他の洗面化粧台Ａを斜め上方から見て、図７は、当該洗面化粧台Ａの要部を縦向きに断面した状態を側方から見て、図８は、この洗面化粧台Ａの蓋体１７を開きだした状態を斜め上方から見て、図９は、この図８の状態にある洗面化粧台Ａの要部を縦向きに断面して側方から見てそれぞれ示している。
また、図１０は、典型的な更に他の洗面化粧台Ａを抽斗９０を引き出して分離した状態で斜め上方から見て、図１１は、当該洗面化粧台Ａの要部を縦向きに断面した状態を側方から見て示している。
【００２０】
まず、第１の発明を実施するための最良の形態に係る洗面化粧台Ａは、カウンター３０に平行な仕切り板１４によってキャビネット１０上部に構成される収納空間７０ａの前面開口７０ｂを蓋体１７で開閉し得るようにしてある収納部７０を備え、しかも、この蓋体１７を前記開口７０ｂを閉じる起立状態から当該蓋体１７の上部側を手前側の下方に向けて当該蓋体１７をほぼ水平状態に支持し得る位置まで回動自在となるように構成してある。
【００２１】
なお、ここで洗面化粧台Ａは、洗面ボールがキャビネットに一体に備えられている洗面化粧台であっても、洗面ボールを一体に備えたカウンターがキャビネットに備えられている洗面化粧台であっても、また、洗面ボールを組み付けたカウンターがキャビネットに備えられている洗面化粧台等、いかなる形態の洗面化粧台であってもよく、多くの場合、化粧鏡部や、照明装置等を備えて構成される。
【００２２】
また、この洗面化粧台Ａを構成するキャビネット１０は、当該キャビネット１０の上部に、カウンター３０に平行な仕切り板１４によって構成される収納空間７０ａを有し、しかも、この収納空間７０ａの前面開口７０ｂを回動自在な蓋体１７によって開閉し得るようにしてあると共に、この蓋体１７を当該開口７０ｂを塞ぐ直立状態から、ほぼ水平状態に支持され得る位置まで、その上端側を下方に向けて回動自在となるように構成してあれば、いかなる構成のキャビネットとしてあってもよく、例えば、開閉自在に当該蓋体１７によって塞がれる収納空間７０ａの下方を、当該キャビネットの前面側に備えられた開き扉等によって開閉可能に閉じ得る収納空間として構成してあっても、また、この開閉自在に当該蓋体１７によって塞がれる収納空間７０ａの下方を、当該キャビネットの前面側から出し入れし得る抽斗を備えた構成としてあっても、更に、この開閉自在に当該蓋体１７によって塞がれる収納空間７０ａの下方における当該キャビネットの前面側を開放状態にして、この収納部７０を構成する仕切り板１４の下方に当該洗面化粧台Ａの前方に備えられる椅子等に座って洗面化粧をなす人の脚部分の納め入れ空間としたり、車椅子の先端部分の納め入れ空間として構成する等、いかなる構成のキャビネットとしてあってもよい。また、前記蓋体１７は、具体的には、前記開口７０ｂを塞ぐ直立状態において当該蓋体１７における下部側をキャビネット１０部分、具体的には、開口７０ｂの下部側を構成するキャビネット１０部分、例えば、側板１２や仕切り板１４等に対して回動可能に組み付けてあり、当該キャビネット１０部に対する組み付け部を回動中心線として、この開口７０ｂを塞ぐ直立状態から当該蓋体１７の上部側をキャビネット１０の前方に向けて倒し出すように開口７０ｂを開き出すと共にほぼ水平状態で支持され得るように構成してある。
【００２３】
また、ここで用いられるカウンター３０は、洗面ボールを一体に備えたカウンターとしてあっても、また、洗面ボールを当該カウンターに備えられている穴内に組み付けるようにして構成してあっても、さらに、洗面ボールを当該カウンター上に組み付けるように構成してある等、いかなる形態のカウンターであっても良い。また、かかるカウンター３０は、人工大理石、ステンレススチール等いかなる素材によって構成してあってもよく、一枚のプレート体等によって構成してあっても、また、複数枚を積層したプレート状に構成してあってもよい。
【００２４】
このように構成される洗面化粧台Ａにあっては、キャビネット１０上部にあって、カウンター３０の下方に収納部７０が構成してあることから、カウンター３０における各種の洗面化粧等に際して、このカウンター３０に近接して当該収納部７０に収納されている洗面化粧用品等を容易に取り出し用い、かつ、容易に収納保管することができる。
【００２５】
また、このように構成される洗面化粧台Ａにあっては、洗面化粧台Ａの前側下方に向けて開き出されてほぼ水平状態に支持された蓋体１７の面１７ｂを、洗面化粧に際して使用される各種洗面化粧用品等の置き場所として用いることができ、洗面化粧時における使い勝手の良好な作業スペースとして用いることができる。
【００２６】
かかる構成からなる洗面化粧台Ａにおける前記蓋体１７を、これが水平状態に支持された際に、その上面１７ｂと前記仕切り板１４の上面１４ａとがほぼ同面となるようにした構成とすることによって、前記特長に併せて、この蓋体１７の面１７ｂと仕切り板１４の面１４ａとを洗面化粧時におけるが一連に連続した作業スペースとして用いることができる。
【００２７】
また、第２の発明を実施するための最良の形態に係る洗面化粧台Ａは、キャビネット１０上部に、当該キャビネット１０の前面側からカウンター３０に沿って出し入れし得る抽斗９０を備えた構成としてある。
【００２８】
なお、第２の発明を実施するための最良の形態に係る洗面化粧台Ａもまた、前記第１の発明を実施するための最良の形態に係る洗面化粧台Ａにおけると同様に、洗面ボールをキャビネットに一体に備えている洗面化粧台であっても、洗面ボールを一体に備えたカウンターをキャビネットに備え付けた洗面化粧台であっても、また、洗面ボールを組み付けたカウンターをキャビネットに備えた洗面化粧台等、いかなる形態の洗面化粧台であってもよく、多くの場合、化粧鏡部や、照明装置等を備えて構成される。
【００２９】
また、この洗面化粧台Ａを構成するキャビネット１０は、キャビネット１０上部に、当該キャビネットの前面側からカウンター３０に沿って出し入れし得る抽斗９０を備えた構成としてあれば、いかなる構成のキャビネットとしてあってもよく、例えば、当該抽斗９０の下方を、当該キャビネットの前面側に備えられた開き扉等によって開閉可能に閉じ得る収納空間として構成してあっても、また、この抽斗９０の下方を、当該キャビネットの前面側から出し入れし得る抽斗を備えた構成としてあっても、更に、この抽斗９０の下方における当該キャビネットの前面側を開放状態にして、この抽斗９０の下方に当該洗面化粧台Ａの前方に備えられる椅子等に座って洗面化粧をなす人の脚部分の納め入れ空間としたり、車椅子の先端部分の納め入れ空間として構成する等、いかなる構成のキャビネットとしてあってもよい。
【００３０】
また、ここで用いられるカウンター３０は、洗面ボールを一体に備えたカウンターとしてあっても、また、洗面ボールを当該カウンターに備えられている穴内に組み付けるようにして構成してあっても、さらに、洗面ボールを当該カウンター上に組み付けるように構成してある等、いかなる形態のカウンターであっても良い。また、かかるカウンター３０は、人工大理石、ステンレススチール等いかなる素材によって構成してあってもよく、一枚のプレート体等によって構成してあっても、また、複数枚を積層したプレート状に構成してあってもよい。
【００３１】
まず、図１〜図５に示される典型的な洗面化粧台Ａについて具体的に説明する。
この図示例に係る洗面化粧台Ａは、カウンター３０に平行な仕切り板１４によってキャビネット１０上部に構成される収納空間７０ａの前面開口７０ｂを蓋体１７で開閉し得るようにしてある収納部７０を備え、しかも、この蓋体１７を前記開口７０ｂを閉じる起立状態から、その上端側を前側の下方に向けて当該蓋体１７をほぼ水平状態に支持し得る位置まで回動自在としてある。そして、この図示例に係る洗面化粧台Ａは前記蓋体１７が、水平状態に支持された際に、当該蓋体１７の上面１７ｂと前記仕切り板１４の上面１４ａとがほぼ同面となるように構成してある。
【００３２】
この図示例に係る洗面化粧台Ａは、洗面ボール４０を一体に備えたカウンター３０をキャビネット１０上に備え、このカウンター３０に連続するように化粧鏡部５０と照明装置６０とを備えて、化粧室等の床上に壁等に添って設置用い得るようにしてある。
【００３３】
かかる洗面化粧台Ａは、一般的な洗面化粧台に備えられる各種設備を備えて構成してあり、この図示例にあっては、カウンター３０に一体的に備えられている洗面ボール４０の底部に排水トラップを備えた排水管４２を連通状態に接続してあると共に、当該洗面ボール４０に湯水を供給する給水・給湯管４３等に接続された混合水栓等の栓４１を当該カウンター３０に設けてある孔３３から上方に起立するように設けてある。
【００３４】
かかる洗面化粧台Ａにおけるキャビネット１０は、台輪１１の両側に各側板１２、１２を、また背面側に後側板１３を備えたボックス状に構成してあり、上部にカウンター３０に平行に備えられた仕切り板１４によって当該キャビネット１０の上部に、カウンター３０と仕切り板１４及び各側板１２、１２並びに後側板１３とによって前面開口７０ｂの収納空間７０ａが構成されており、しかも、この収納空間７０ａの前面開口７０ｂを開閉自在に塞ぐ蓋体１７を回動自在に設けて収納部７０を構成してあり、更に、この仕切り板１４と各側板１２、１２及び後側板１３並びに台輪１１とによって構成さ下部収納空間８０ａの前面開口を開閉自在に一対の開き戸１８によって閉じ込み得るようにした下部収納部８０を備えており、当該開き戸１８の前面側に該開き戸１８の開閉操作に都合の良い取っ手１８ａを備えた構成としてある。
【００３５】
かかるキャビネット１０上に備えられるカウンター３０は人工大理石等の表側カウンター材３０ａと補強材３０ｂとによって構成してあり、この表側カウンター材３０ａの前端部をやや下方に向けて屈曲した前垂れ部３１とし、当該カウンター３０を構成する補強材３０ｂの前端面を隠すように構成してあると共に、後端部にバックガード３２を一体に起立状態に備えた構成としてある。また、このバックガード３２の上方に化粧鏡部５０を設けてあり、更に、この化粧鏡部５０の上端部に照明装置６０を設けた構成としてある。
【００３６】
かかるキャビネット１０の上部に備えられる収納部７０を構成する仕切り板１４は、この図示例にあっては、前記洗面ボール４０の下方にあって、当該洗面ボール４０を下側から隠すように当該キャビネット１０の各側板１２、１２と後側板１３とに亘るように設けてあり、後側板１３の側から蓋体１７の側に向けて平面視でＵ字状をなす欠切部１５を備えており、この欠切部１５に排水管４２や給水・給湯管４３を通し得る構成としてある。
【００３７】
かかる仕切り板１４は、この図示例にあっては、比較的厚目の板材によって構成してあって、その前端面に開き出された蓋体１７における側端面が接し得る構成としてあり、この図示例では、当該仕切り板１４の前端面が各側板１２、１２の前端面と同面をなすように構成してある。
【００３８】
なお、この図示例にあっては、前記欠切部１５の開口縁に当該仕切り板１４の面１４ａから起立するようにガード板１６が設けてあり、この仕切り板１４の面１４ａ上に置かれた洗面化粧用品等が当該欠切部１５の開口部分から落下するのを防止するようにしてある。
【００３９】
かかるキャビネット１０に備えられる蓋体１７は、直立状態で前記収納空間７０ａの開口７０ｂを都合良く塞ぐ長方形の板状体としてあり、この図示例にあっては、この蓋体１７の幅を当該収納空間７０ａの開口７０ｂの縦幅にほぼ一致する幅寸法としてあり、また、当該蓋体１７の長さをキャビネット１０の各側板１２の前端面を覆う寸法に構成してあって、前記収納空間７０ａの開口７０ｂを塞ぐように直立状態にした蓋体１７における内側面にある一つの長手縁、この図示例にあっては当該直立状態にある蓋体１７の内側の下縁に沿った面部に複数の蝶番２３におけるれぞれの一方側が止め付けてあり、それぞれの蝶番２３における他方側が仕切り板１４の上面１４ａにそれぞれ止着するようにしてあって、当該蓋体１７が、当該直立状態で、その下端側を回動中心として仕切り板１４に回動自在に組み付けてある。
【００４０】
このように仕切り板１４に蝶番２３で連結されている蓋体１７は、その直立状態における前面側に備えられている取っ手１７ａを用いて、前記開口７０ｂを塞ぐ直立状態から、当該直立状態において蓋体１７の下端側にある蝶番２３によって、その上端側を前方、より具体的には、前方に向けて下向きに回動自在とされており、この蓋体１７がほぼ水平状態とされた際に、この蝶番２３の備えられている側にある蓋体１７の側端面が前記仕切り板１４の前端面と側板１２の前端面とに当接し、ほぼ水平な開きだし状態に支持される。
【００４１】
また、この蓋体１７の開き出し時の支持手段２２は、この蓋体１７が前記開口７０ｂを塞ぐ直立状態から前方に向けて下向きに開き出されてほぼ水平とされた状態に維持し得るように、当該蓋体１７の内側の面１７ａに一端側を、当該蓋体１７によって塞がれる収納空間７０ａを構成する側板１２面に他端側を回動自在に取り付けたリンク手段等によって構成される。
【００４２】
かかる支持手段２２は、回動自在に連結された一対のアーム２２ａ、２２ｂの一方の自由端部を蓋体１７に備えられている取付突部２２ｃに、他方の自由端部を収納空間７０ａを構成する側板１２に、それぞれ回動自在に取り付けることによって構成してあり、当該各アーム２２ａ、２２ｂが直線状に伸びきった状態で蓋体１７をほぼ水平状態に支持し得るように設けてあり、前記蓋体１７の側端面を仕切り板１４の前端面と側板１２の前端面とに突き当てる構成と共に、当該蓋体１７を安定に水平状態に支持し得る構成としてある。
【００４３】
かかる構成からなる図示例の洗面化粧台Ａにあっては、開き出される蓋体１７の上面１７ｂと当該蓋体１７の連接されている仕切り板１４の上面１４ａとが同面状態とされており、当該蓋体１７を、収納部７０を構成する仕切り板１４の面１４ａに一連に連続した作業スペースとして構成することができる。
【００４４】
また、この収納空間７０ａの開口７０ｂを塞いで収納部７０を構成する蓋体１７は、この開口７０ｂを塞いだ状態を維持し得るように、適宜の直立維持手段としての吸着手段２１を備えており、この図示例にあっては、カウンター３０の下面部から下方に向けて突き出すように設けてある吸着具２１ａに対して、蓋体１７に備えられている被吸着体２１ｂを吸着させて、当該蓋体１７による開口７０ｂの塞ぎ込み状態を維持し得るようにしてある。より具体的には、吸着手段２１の一方を構成する吸着具２１ａを永久磁石と当該永久磁石の磁気路をなすヨークとを備えたものとしてあり、また、吸着手段２１の他方を構成する被吸着体２１ｂを鉄板等の磁性板によって構成してある。
【００４５】
かかる構成からなる洗面化粧台Ａにあっては、キャビネット１０の前面側に備えられている蓋体１７を直立状態にして、この蓋体１７の被吸着具２１ｂをカウンター３０の下面部にある吸着具２１ａに吸着させることによって、収納空間７０ａの開口７０ｂを当該蓋体１７によって塞いだ収納部７０として、当該収納部７０における閉蓋状態を確実に維持させることができる。
【００４６】
また、洗面化粧等にあたって、この収納部７０内に収納されている洗面化粧用品等を用いる際には、この蓋体１７を前方、この図示例にあっては取っ手１７ａをもって前下方に向けて回動開きだし状態にして、当該収納部７０を開口し、収納部７０内の収納物を適宜取り出し用いたり、開きだした当該蓋体１７をキャビネット１０の前方にほぼ水平状態に突き出された作業スペースとして、各種洗面化粧用品等の置き場所等として用いることができる。
【００４７】
また、洗面化粧等の終了後にあっては、この蓋体等に並び置き用いた各種洗面化粧用品等を、この蓋体１７の面１７ｂに同面とされている仕切り板１４の面１４ａ側に移動して、当該蓋体１７の先端側を上方に向けて回動操作し、前記収納部７０の開口７０ｂを閉じることによって洗面化粧台周辺を整然とした状態に保つことができる。
【００４８】
かかる構成からなる洗面化粧台Ａにあっては、従来使用し難かった洗面ボール４０の備え付け前方部分を洗面化粧用品等の収納部７０として用い得ると共に、カウンター３０に近接した位置に当該カウンター３０と同様に用いうる作業スペースを蓋体１７の開き出しによって簡単に構成することができ、常時は、洗面化粧用品等の置かれていない整然とした態様の洗面化粧台Ａとしておき、必要に応じて、カウンター３０に最も近接した位置に各種洗面化粧用品等を並び置いて用いることのできる洗面化粧台Ａとすることができる。
【００４９】
次いで、図６〜図９に示される洗面化粧台Ａについて具体的に説明する。
この図６〜図９に示される洗面化粧台Ａは、洗面ボール４０をカウンター３０上に設けた以外の構成を前記図１〜図５に示される洗面化粧台Ａの構成と同一または実質的に同一に構成してあり、同様にして用いることができる。より具体的には、洗面ボール４０がカウンター３０上に設けてあり、このカウンター３０上に洗面ボール４０を設けることによって当該洗面ボール４０の排水管４２を当該カウンター３０に設けた孔３４を介してキャビネット１０内に案内するようにした点、当該洗面ボール４０に水・湯等を供給し得る縦向きに長い混合水栓等の栓４１を設けた以外の構成を前記図１〜図５に示される洗面化粧台Ａの構成と同一または実質的に同一の構成としてある。
【００５０】
従って、前記図１〜図５において示された洗面化粧台Ａの構成と同一又は実質的に同一の構成部分には同一の番号を付してその説明を省略する。
【００５１】
この図示例に係る洗面化粧台Ａは、カウンター３０に平行な仕切り板１４によってキャビネット１０の上部に構成される収納空間７０ａの前面開口７０ｂを蓋体１７で開閉し得るようにしてある収納部７０を備え、しかも、この蓋体１７を前記開口７０ｂを閉じる起立状態から手前向きの下方に向けて当該蓋体１７をほぼ水平状態に支持し得る位置まで回動自在としてある。そして、この図示例に係る洗面化粧台Ａは前記蓋体１７が、水平状態に支持された際に、当該蓋体１７の上面１７ｂと前記仕切り板１４の上面１４ａとがほぼ同面となるように構成してある。そして、この洗面化粧台Ａを構成する洗面ボール４０をカウンター３０上に設け、この洗面ボール４０の排水管４２を当該カウンター３０に設けられている孔３４を通してキャビネット１０内に案内して所定の排水設備に接続し、しかも、この洗面ボール４０に水・湯等を供給する混合水栓等の栓４１をカウンター３０に設けられている孔３３に挿通状態にして当該カウンター３０に立設し、キャビネット１０内に導かれている水や湯等の給水・給湯管４３を当該栓４１に接続してある。
【００５２】
かかる構成からなる洗面化粧台Ａにあっては、キャビネット１０の前面側に備えられている蓋体１７を、その取っ手１７ａをもって直立状態にし、この蓋体１７の被吸着体２１ｂをカウンター３０下面部にある吸着具２１ａに吸着させることによって、収納空間７０ａの開口７０ｂを当該蓋体１７によって塞いだ状態の収納部７０を構成して用いることができる。
【００５３】
また、洗面化粧等にあたって、この収納部７０内に収納されている洗面化粧用品等を用いる際には、この蓋体１７を前方、この図示例にあっては取っ手１７ａをもって前下方に向けて回動開きだし状態にして、当該収納部７０を開口し、収納部７０内の収納物を適宜取り出し用いると共に、開きだした当該蓋体１７をキャビネット１０の前方にほぼ水平状態に突き出された作業スペースとして、各種洗面化粧用品等の置き場所等として用いることができる。
【００５４】
また、洗面化粧等の終了後にあっては、この蓋体等に並び置きながら用いた各種洗面化粧用品等を、この蓋体１７の面１７ｂに同面とされている仕切り板１４の面１４ａ側に移動して、当該蓋体１７の先端側を上方に向けて回動操作し、前記収納部７０の開口を閉じることによって洗面化粧台周辺を整然とした状態に保つことができる。
【００５５】
かかる構成からなる洗面化粧台Ａにあっては、カウンター３０に近接した位置に当該カウンター３０と同様に用いうる作業スペースを蓋体１７の開き出しによって簡単に構成することができ、常時は、洗面化粧用品等の置かれていない整然とした態様の洗面化粧台Ａとして用い、必要に応じて、カウンター３０に最も近接した位置に各種洗面化粧用品等を並び置いて用い得る洗面化粧台Ａとすることができる。
【００５６】
次いで、図１０〜図１１に示される洗面化粧台Ａについて具体的に説明する。
この図１０〜図１１に示される洗面化粧台Ａは、前記図１〜図９に示される洗面化粧台Ａにおける蓋体１７を備えた収納部７０の構成に替えて、キャビネット１０の上部に、当該キャビネット１０の前面側からカウンター３０に沿って出し入れし得る抽斗９０を設けた以外の構成を前記図１〜図９に示される洗面化粧台Ａの構成と同一または実質的に同一の構成としてある。従って、前記図１〜図９に示される洗面化粧台Ａの構成と同一または実質的に同一の構成部分には同一の番号を付してその説明を省略する。
【００５７】
この図１０〜図１１に示される洗面化粧台Ａにあっては、キャビネット１０の上部に、前記各実施例における収納部７０に替えて、抽斗９０が当該キャビネット１０の前面側からカウンター３０に沿うように出し入れ自在に設けてある。
【００５８】
かかる洗面化粧台Ａに備えられる抽斗９０は、この図示例にあっては、底板９１を取り囲むように前板９４及び後側板９２と両側板９３、９３とで構成される上面開口の浅い箱状としてあり、前板９４の前面部に当該抽斗９０の引き出し操作に都合の良い取っ手９７を備えた構成としてあって、この前板９４がキャビネット１０の各側板１２、１２の前端面を覆うように左右側にやや延びた構成としてある。そして、この抽斗９０が、キャビネット１０に備えられている各桟、この図示例にあっては、前端面が前記キャビネット１０の側板１２の前端面と面一になるように当該各側板１２、１２間にわたって備えられている前桟１９と、この前桟１９に連続してキャビネット１０の各側板１２、１２に備えられている横桟２０とによって支持されて、当該キャビネット１０の前面側から取っ手９７を用いて当該キャビネット１０内に出し入れし得るように構成してある。
【００５９】
なお、この抽斗９０を構成する前板９４は、当該抽斗９０をキャビネット１０内に押し入れた際に、キャビネット１０における各側板１２、１２の前端面と前記前桟１９の前端面の上部側とを覆った状態で、その上端面がカウンター３０の下面に接し又は近接するように構成してあり、キャビネット１０の前面上部側をすっきりとした構成とするようにしてある。
【００６０】
かかる抽斗９０を備えたキャビネット１０における当該抽斗９０の下方において、当該キャビネット１０における各側板１２、１２と後側板１３と台輪１１とによって前面側が開口された収納空間８０ａが構成してあり、この開口を前記前桟１９の前端面下部側に当接した状態で閉じる一対の開き戸１８、１８によって開閉自在とされた収納部８０が設けてある。
【００６１】
なお、この図示例に係る抽斗９０は、底板９１に、後側板９２を含むように当該後側板９２から前板９４に向けて平面視でＵ字状をなす欠切部９５が設けてあり、この後側板９２から当該欠切部９５縁に沿って底板９１上に起立するガード板９６を備えた構成としてあって、当該抽斗９０に収納した洗面化粧品等が当該欠切部９５から落下しないように構成してある。そして、この抽斗９０をキャビネット１０の上部、すなわち、開き戸１８の上部内側面が当接する前桟１９と前記各横桟２０、２０とをガイドに当該前桟１９と各横桟２０上に乗せた状態でキャビネット１０内に差し入れ、前記排水管４２と給水・給湯管４３とを前記欠切部９５に受け入れるように押し込み、前板９４を当該キャビネット１０の各側板１２の前端面と前桟１９の前端面とに当接させた状態に収納する。
【００６２】
このように構成される洗面化粧台Ａにあっては、洗面化粧時に当該洗面化粧に供される洗面化粧用品をカウンター３０の下面に沿って備えられている抽斗９０から容易に取り出し用いることができ、また、洗面化粧後に、これらの洗面化粧用品を容易に当該抽斗９０に収納保管することができる。
【００６３】
また、かかる構成からなる洗面化粧台Ａにあっては、キャビネット１０の前方に向けて抽斗９０を引き出し状態にして、この抽斗面を洗面化粧時における作業スペースとして洗面化粧用品等を一時的に適宜並べ置く手段として用いることができる。
【図面の簡単な説明】
【００６４】
【図１】典型的な洗面化粧台にあって蓋体を閉じ込んだ状態を示す斜視図
【図２】同要部拡大正面図
【図３】同要部拡大縦断面図
【図４】同蓋体を開いた状態を示す斜視図
【図５】同要部拡大縦断面図
【図６】他の典型的な洗面化粧台にあって蓋体を閉じ込んだ状態を示す斜視図
【図７】同要部拡大縦断面図
【図８】同蓋体を開いた状態を示す斜視図
【図９】同要部拡大縦断面図
【図１０】更に他の典型的な洗面化粧台における抽斗を引き出してキャビネットから分離した状態を示す斜視図
【図１１】同洗面化粧台の要部拡大縦断面図
【符号の説明】
【００６５】
Ａ  洗面化粧台
１０  キャビネット
１４  仕切り板
１７  蓋体
３０  カウンター
４０  洗面ボール
７０  収納部
７０ａ  収納空間
７０ｂ  開口
９０  抽斗
【図１】
2007143646.tif 000003
【図２】
2007143646.tif 000004
【図３】
2007143646.tif 000005
【図４】
2007143646.tif 000006
【図５】
2007143646.tif 000007
【図６】
2007143646.tif 000008
【図７】
2007143646.tif 000009
【図８】
2007143646.tif 000010
【図９】
2007143646.tif 000011
【図１０】
2007143646.tif 000012
【図１１】
2007143646.tif 000013